(57)【特許請求の範囲】
【請求項１】
互いに交差する上下方向と横方向と前後方向とを有していて頂面部に収納物品の取出口が形成された容器部と、前記容器部に旋回可能に取り付けられていて前記取出口を開閉する蓋部とを有する収納容器であって、
前記取出口を閉じた状態にあるときの前記蓋部は、前記容器部の後方部分において前記横方向へ延びる後方周縁部が形成されていて前記取出口を覆う被覆部と、前記被覆部から前記下方かつ前記後方に向かって延びるアームとを有していて、前記アームが前記容器部の前記後方部分を形成している後方周壁部の内側にまで延びており、前記アームの先端部からは前記横方向の両側それぞれに旋回軸が延出し、
前記旋回軸は、前記後方周縁部の前記下方に位置し、前記アームにつながる基端部の反対端部である先端部が前記容器部における軸受部に回転可能に進入し、
前記容器部は、前記軸受部が形成されていて前記アームと対向する壁面部を有し、前記蓋部は、開く方向へ付勢されており、
前記容器部では前記横方向において前記壁面部どうしが対向し、前記容器部の前記前方から前記後方へ向かう方向において、前記壁面部どうしの間隔が次第に小さくなるように前記壁面部が傾斜し、前記蓋部が前記開く方向へ旋回すると、傾斜した前記壁面部と前記アームとが摺動するように係合して、前記蓋部の旋回する速度が抑制されることを特徴とする収納容器。
【請求項２】
前記蓋部が前記取出口を閉じた状態にあるときに、前記アームは前記被覆部から前記下方へ延びる垂下部と、該垂下部の下端から前記後方へ延びる連結部とを有し、前記連結部からは前記旋回軸が延出しており、前記蓋部が前記開く方向へ旋回すると、前記連結部が前記容器部の前記後方周壁部に前記後方周壁部の前記前方から当接して前記蓋部が停止する請求項１記載の収納容器。
【請求項３】
前記蓋部が開いた状態にあるときに、前記蓋部の前記後方周縁部が前記容器部の前記後方周壁部の前記後方に位置している請求項２記載の収納容器。
【発明の詳細な説明】
【技術分野】
【０００１】
本発明は、蓋部を有し、ティッシュペーパ等の物品を収納するのに好適な収納容器に関する。
【背景技術】
【０００２】
積層状態にあるティッシュペーパを収納し、そのティッシュペーパの１枚ずつを取り出すことのできる収納容器は従来よく知られている。また、収納したティッシュペーパを取り出すための開口を有している容器部に対して往復旋回運動可能に蓋を取り付けて、その蓋を使用して開口を開閉することのできる収納容器は公知である。
【０００３】
例えば、特許第５３４９９１５号公報（特許文献１）に記載の開閉自在容器の一例は、ウエットティッシュ収納容器であって、取出口を有する本体と、取出口を開閉する蓋と、蓋を開く方向へ付勢する弾性部材とを有する。蓋は、基端側にスプリング体を有し、本体は蓋が開くときにスプリング体が当接するスロープ部を有する。蓋が開く方向へ動くと、スプリング体がスロープ部を摺動して、蓋の開く速度が抑えられる。蓋の後方部分には、頂面部から本体に向かってほぼ垂直に延びるカバーが形成されている。カバーは、蓋が閉じているときに蓋と本体との隙間を小さなものにして、容器の背面側の外観を良好なものにしている。
【先行技術文献】
【特許文献】
【０００４】
【特許文献１】特許第５３４９９１５号公報
【発明の概要】
【発明が解決しようとする課題】
【０００５】
前記開閉自在容器では、ほぼ垂直に延びるカバーの両側面部分それぞれに形成された水平な軸部が、本体に形成された孔に挿入されていて、蓋部はその軸部を中心に回転して取出口を開閉する。蓋部に形成されたカバーは、容器の背面側において、本体と蓋部との間に形成される間隙（クリアランス）の幅が大きすぎることがないように作られている。しかし、蓋部が軸部を中心に開く方向へ回転すると、カバーの下端部分も軸部を中心に回転して、蓋部が閉じていたときには、容器の背面側において蓋と本体とは隙間が小さいという関係にあっても、蓋部が開いているときには、その隙間が大きくなって、容器の背面側における外観を損なうということがある。
【０００６】
本発明が課題とするのは、蓋が閉じているときでも、開いているときでも背面側の外観を良好な状態に保つことが出来るように改良された収納容器の提供である。
【課題を解決するための手段】
【０００７】
本発明は、互いに交差する上下方向と横方向と前後方向とを有していて頂面部に収納物品の取出口が形成された容器部と、前記容器部に旋回可能に取り付けられていて前記取出口を開閉する蓋部とを有する収納容器である。
【０００８】
本発明に係る収納容器は、前記取出口を閉じた状態にあるときの前記蓋部は、前記容器部の後方部分において前記横方向へ延びる後方周縁部が形成されていて前記取出口を覆う被覆部と、前記被覆部から前記下方かつ前記後方に向かって延びるアームとを有していて、前記アームが前記容器部の前記後方部分を形成している後方周壁部の内側にまで延びており、前記アームの先端部からは前記横方向の両側それぞれに旋回軸が延出し、前記旋回軸は、前記後方周縁部の前記下方に位置し、前記アームにつながる基端部の反対端部である先端部が前記容器部における軸受部に回転可能に進入し、前記容器部は、前記軸受部が形成されていて前記アームと対向する壁面部を有し、前記蓋部は、開く方向へ付勢されており、前記容器部では前記横方向において前記壁面部どうしが対向し、前記容器部の前記前方から前記後方へ向かう方向において、前記壁面部どうしの間隔が次第に小さくなるように前記壁面部が傾斜し、前記蓋部が前記開く方向へ旋回すると、傾斜した前記壁面部と前記アームとが摺動するように係合して、前記蓋部の旋回する速度が抑制される。
【発明の効果】
【０００９】
本発明に係る収納容器では、蓋部における被覆部から下方かつ後方へ延びたアームの先端部に旋回軸があり、その旋回軸は被覆部の後方周縁部の下方に位置している。容器を後方から見たときに、容器部と蓋部との間の間隙（クリアランス）が小さくなるように蓋部の後方周縁部を容器部の後方周壁部に接近させておいても、蓋部が開くときには、後方周縁部が旋回軸の上方において旋回しながら容器部の後方周壁部に接近した状態になる。それゆえ、蓋部が開いても、収納容器の背面側においては、蓋部と容器部との間の間隙が大きくなって容器の外観を損なう、ということがない。
【図面の簡単な説明】
【００１０】
図面は、本発明の特定の実施の形態を示し、発明の不可欠な構成ばかりでなく、選択的及び好ましい実施の形態を含む。
【図１】本発明に係る収納容器の斜視図。
【図２】収納容器の背面図。
【図３】図１のＩＩＩ−ＩＩＩ線断面図。
【図４】図１のＩＶ−ＩＶ線断面図。
【図５】ラッチの一連の動きを示す図４のＶ−Ｖ線矢視図。
【図６】図４において一点鎖線ＶＩで囲んだ部分の一部拡大図。
【図７】図６のＶＩＩ−ＶＩＩ線矢視図。
【発明を実施するための形態】
【００１１】
本発明に係る収納容器として、ティッシュペーパの収納容器を例にとり、添付の図面を参照して本発明の詳細を説明すると、以下のとおりである。以下における実施形態は、本発明の欠くことのできない要件を含む他に、選択的に採用することのできる要件及び適宜に組み合わせることのできる要件を含んでいる。
【００１２】
図１において斜視図で示された収納容器１０は、ウエットティッシュのごとき後記ティッシュペーパ９を収納するのに好適なもので、容器部１１と蓋部１２とを有する。容器部１１では、頂面部１４と周壁部１６とが一体的に形成されていて、周壁部１６に対しては下方から底蓋１３を着脱することができる。また、底蓋１３を外すことによって、ティッシュペーパ９の後記包装体８を収納することができる。周壁部１６は、前方周壁部１６ａと、一対の側方周壁部１６ｂと、後記後方周壁部１６ｃ（図１参照）とを有する。図における双頭矢印Ａ，Ｂ，Ｃは、収納容器１０の上下方向、横方向、前後方向を示している。
【００１３】
なお、図１では、仮想線１００で囲まれている部分拡大図によって、容器部１１と蓋部１２との間に形成された間隙（クリアランス）１０１を示している。容器部１１は、後記嵌合凹部１５においての内側輪郭線１５ａと外側輪郭線１５ｂとを有し、これら両輪郭線１５ａ、１５ｂに挟まれている部位１５ｃは、外側輪郭線１５ｂの外側の部位よりも低くなるように形成されている。蓋部１２には、前方周縁部３６ａがある。前方周縁部３６ａと内側輪郭線１５ａとの間には、間隙１０１が形成されている。間隙１０１は、収納容器１０をその上方から見たときに、ほぼ一定の幅Ｆを有していて、容器部１１の後記嵌合凹部１５に蓋部１２がフィットしているという印象を収納容器１０の使用者に与えることができる。間隙１０１の幅Ｆは、０．５−１．５ｍｍの範囲から選択されることが好ましい。
【００１４】
図２は、収納容器１０の背面図である。その図２には、容器部１１の後方周壁部１６ｃと、蓋部１２の後方部分３５とが見えている。後方周壁部１６ｃでは、嵌合凹部１５における内側輪郭線１５ａと外側輪郭線１５ｂとが見えている。蓋部１２の後方部分３５では、横方向Ｂへ水平に延びる後方周縁部３６ｂと、上下方向Ａへ弧を画いて延びる前方周縁部３６ａとが見えている。蓋部１２の横方向Ｂにおける中央部には、後記するばね部材４０の一部分が見えている。仮想線で示された蓋部１２は、それが開いた状態にあるときのもので、後方周縁部３６ｂは容器部１１の後方周壁部１６ｃに重なっている。
【００１５】
図２において仮想線２００で囲まれている部分は、容器部１１と蓋部１２との部分拡大図である。容器部１１の内側輪郭線１５ａと蓋部１２の後方周縁部３６ｂおよび前方周縁部３６ａとの間には間隙１０１が形成されている。
【００１６】
図３は、図１のＩＩＩ−ＩＩＩ線断面図であって、収納容器１０に納まる包装体８とティッシュペーパ９とが仮想線で示されている。ＩＩＩ−ＩＩＩ線は、収納容器１０の底蓋１３における前後方向Ｃの寸法を二等分する位置にある。容器部１１の頂面部１４は、横方向Ｂの中央部分に蓋部１２を嵌合させるための嵌合凹部１５を有する。嵌合凹部１５は、シリコーンゴムや熱可塑性のエラストマー等の柔軟弾性材料で形成されていて所要部位が容易に弾性変形する仕切板１７と、仕切板１７を上下方向Ａからサンドウィッチしている上方部位１８と、下方部位１９とを有する。
【００１７】
仕切板１７は、ティッシュペーパ９を取り出すための取出口２１が形成され、横方向Ｂの両側では起立部２２が上方に向かって延びている。取出口２１には、円形、長円形、星形等の適宜の形状を選択することができる。図示例の取出口２１は、円形のものである。起立部２２は、取出口２１を囲繞するように環状に形成されている。仕切板１７はまた、取出口２１と起立部２２との間に厚さが一様で平坦な板状部２３を有する。
【００１８】
嵌合凹部１５における上方部位１８は、下方部位１９とは別体のもので、下方部位１９を形成している材料とは異なる材料で形成することができるが、下方部位１９を形成している材料と同じ材料、例えば硬質の熱可塑性合成樹脂を使用して形成することができる。上方部位１８はまた、仕切板１７と一体となるように、射出成形の技術の一つである二色成形の技術を使用して成形することができる。上方部位１８には、取出口２１よりも大きな上方開口２４が形成されている。上方部位１８にはまた、起立部２２の基端部２６に横方向Ｂから当接する周縁部２７が形成されている。周縁部２７は、起立部２２の両側に位置するものが起立部２２を貫通する連結部２７ａを介してつながっている。連結部２７ａは、二色成形を実施する際に、起立部２２の両側に周縁部２７を形成するための成形材料の流路として利用された部分であるが、嵌合凹部１５においての連結部２７ａは、仕切板１７と上方部位１８とを分離することがないように一体化させるように作用している。連結部２７ａは、起立部２２の周方向に間隔をあけて複数設けることができる（図３参照）。
【００１９】
嵌合凹部１５における下方部位１９は、容器部１１の周壁部１６等と同時に射出成形することのできる部分であって、仕切板１７を形成している材料に比べて硬質の材料、例えばポリプロピレンやポリエチレン等の熱可塑性合成樹脂によって形成されている。かかる下方部位１９と仕切板１７の下面１７ｂとは取出口２１の周囲において、接着、溶着または機械的な結合等によって、密着した状態にある。また、より好ましい容器部では、少なくとも仕切板１７と下方部位１９とが取出口２１の全周において気密状態となるように密着している。下方部位１９にはまた、取出口２１よりも大きい下方開口２５が形成されていて、上方開口２４と取出口２１と下方開口２５とが、ティッシュペーパ９を１枚ずつ取り出すことが容易となるように、位置合わせをしてある。上方開口２４と取出口２１と下方開口２５とはまた、ティッシュペーパ９の取り出しが容易になるように、大きさや形状を適宜組合せることができる。ティッシュペーパ９の取り出しが容易であるということには、ティッシュペーパ９の１枚ずつを分離して取り出すことが容易であるという意味を含んでいる。
【００２０】
蓋部１２は、嵌合凹部１５における上方部位１８および／または下方部位１９と同じ硬質の材料、例えば硬質の熱可塑性合成樹脂によって形成されていて、嵌合凹部１５の内側に開閉可能に嵌合している。蓋部１２は、それが閉じた状態にあるときに収納容器１０の外面の一部分を形成する外面部２８と、取出口２１と向かい合う内面部２９とを有する。内面部２９には、嵌合凹部１５に向かって直状に延び、起立部２２の頂部３２における傾斜した部分３１に当接する垂下部３０が形成されている。その垂下部３０は、頂部３２を囲繞するように環状に形成されている。頂部３２における傾斜した部分３１は、起立部２２の外側から内側に向かって上り勾配となるように傾斜している。頂部３２はまた、傾斜した部分３１において、下方から上方に向かって厚さが次第に薄くなるように形成されていて、垂下部３０が当接すると、径方向の内側に向かって容易に弾性変形する。その弾性変形に伴って、起立部２２は上下方向Ａの高さが僅かに低くなることがある。このように互いに当接している起立部２２と垂下部３０とは、一体となって取出口２１を囲繞する周壁部７２を形成している。周壁部７２の内側では、蓋部１２の内面部２９が取出口２１と対向する天井部７３を形成している。これら周壁部７２と天井部７３とによって、取出口２１の上方には気密性のある空間７４が形成され、湿潤状態にあるティッシュペーパ９の乾燥を防ぐことができる。このような収納容器１０では、容器部１１のうちの嵌合凹部１５と蓋部１２とが蓋部開閉構造を形成している。
【００２１】
この蓋部開閉構造では、蓋部１２が容器部１１において時計方向と反時計方向とに旋回可能に支持されていて、嵌合凹部１５に対して離脱可能に係合する。また、蓋部１２が嵌合凹部１５に嵌合すると、蓋部１２における垂下部３０と嵌合凹部１５における起立部２２とが上下方向Ａにおいて密着して周壁部７２を形成する。垂下部３０と起立部２２とのいずれか、例えば起立部２２は柔軟弾性材料によって形成されていて、周壁部７２の径方向へ弾性変形する。
【００２２】
なお、本発明において硬質の材料というときには、収納容器１０において、収納容器１０のいずれかの部分を形成している柔軟弾性材料に当接したときに、変形することのない部分を形成している材料であることを意味している。また、ある部分が柔軟弾性材料で形成されているとは、硬質の材料で形成されている部分が当接したときに弾性的に容易に変形する材料で形成されている部分であることを意味している。
【００２３】
図４は、図１のＩＶ−ＩＶ線断面図であって、矢印Ｅで示す時計方向に向かって旋回した状態にある蓋部１２が仮想線で示されている。ＩＶ−ＩＶ線は、収納容器１０の底蓋１３における横方向Ｂの寸法を二等分する位置にある。図の右方において、蓋部１２は、それに形成された旋回軸３６（図６，７参照）が嵌合凹部１５に形成された軸受部１２４（図７参照）に回動可能に進入していて、時計方向Ｅと反時計方向とに往復旋回運動することによって、ティッシュペーパ９を取り出すための取出口２１を開閉することができる。旋回軸１３０と軸受部１２４とは、収納容器１０のヒンジ部を形成している。収納容器１０では、嵌合凹部１５における下方部位１９と蓋部１２との間に、ばね部材４０が蓄勢状態で介在していて、蓋部１２をそれが開く方向へ、すなわち時計方向Ｅへ付勢している。図示例のばね部材４０は、合成ゴムや天然ゴムで形成された弾性帯片であって、この弾性帯片が適宜回数だけ折り重ねられるとともに、弾性帯片の長さ方向における一方の端部４１が嵌合凹部１５における下方部位１９に対して固定され、もう一方の端部４２が蓋部１２に対して固定されることによって、ばね部材４０が蓄勢状態にある。ばね部材４０は、図示例のものに代えて、コイルスプリング等の慣用のばね材料に替えることができる。
【００２４】
図４の左方において、閉じた状態にある蓋部１２の内面部２９からは、ラッチ４６が下方に向かって延びている。ラッチ４６の下端部分では、係合用突起部４７がラッチ４６に対してのキーパー部となるラッチ受け部材５１に向かって延びている。容器部１１の嵌合凹部１５には、嵌合凹部１５の一部分である凹部４９が形成されていて、ラッチ受け部材５１が収納されるとともに、閉じた状態にあるときの蓋部１２におけるラッチ４６がそのラッチ受け部材５１に係合している。蓋部１２が閉じた状態にあるときに、凹部４９の頂部開口４９ａは蓋部１２によって隠蔽されていて、収納容器１０の外からは見えることがなく、収納容器１０の外観に影響を与えることがない。ラッチ４６を係合させるためのラッチ受け部材５１は、嵌合凹部１５における上方部位１８の前方への延出部５２が上方から当接していることによって、凹部４９から上方へ抜け出ることがない。また、ラッチ受け部材５１は、上端部と下端部とに形成された小突起５３が凹部４９と上方部位１８の延出部５２とに形成された隆起部５４ａ，５４ｂに前後方向Ｃから当接し得る状態にあることによって、前後方向Ｃにおいて揺動することがない。図４においてもまた、仕切板１７には、起立部２２を貫通して延びる連結部２７ａが形成されている。
【００２５】
図５は、図４におけるＶ−Ｖ線矢視図であって、凹部４９に収納されているラッチ受け部材５１の前面部５１ａを示している。ただし、図示の前面部５１ａは、そこに多数のドットを記入することによって、前面部５１ａとその他の部分との識別が容易となるようにしてある。図５における（ａ）−（ｆ）は、蓋部１２が閉じてから開くまでのティッシュペーパ使用者による一連の操作に対応するもので、ラッチ４６の突起部４７がラッチ受け部材５１に進入してから退出するまでの過程を示している。蓋部１２がこの過程をたどって開閉する収納容器１０は、いわゆるプッシュロック／プッシュオープンのロック機構を有する容器の一種である。
【００２６】
図５の（ａ）は、蓋部１２を閉じようとするときに、ラッチ４６の突起部４７がラッチ受け部材５１に進入し始めているときの状態を示している。この状態では、凹部４９において、ラッチ受け部材５１が横方向Ｂの両側にスライド運動できるように、ラッチ受け部材５１と凹部４９の両側部との間にクリアランス６１が形成されている。ラッチ受け部材５１は、横方向Ｂへの直線的なスライド運動が可能である。ラッチ受け部材５１はまた、その前面部５１ａに溝部６２が形成されている。溝部６２は、蓋部１２を閉じるときに溝部６２の出入口６２ａから進入したラッチ４６の突起部４７を下方に向かって案内することのできる進入路６３と、その突起部４７を下方から上方に向かって案内し、出入口６２ａから退出させることのできる退出路６４と、進入路６３と退出路６４との間にあって、これら両路６３，６４の最下端部６５，６６につながる係合部６７とを有する。係合部６７は、最下端部６５，６６のそれぞれから所要寸法だけ上方に位置していて、ばね部材４０（図４参照）の作用によって蓋部１２とともに図の上方へ付勢されているラッチ４６の突起部４７を下方から上方に向かって圧接する態様で係合させ、静止させることができる。
【００２７】
図５の（ｂ）において、蓋部１２を下方に向けてさらに旋回させると、ラッチ４６は、下方に向かって直線的に進む。ただし、進入路６３は図示の如く曲線を画いていることによって、突起部４７は進入路６３の側壁部分を押圧し、ラッチ受け部材５１を図の左方へスライドさせる。ラッチ４６がこのように進む間に、蓋部１２は、ばね部材４０の付勢に抗しながら、容器部１１における起立部２２を蓋部１２の垂下部３０によって押圧して、起立部２２を弾性的に変形させる。
【００２８】
図５の（ｃ）において、突起部４７が進入路６３の最下端部６５に到達すると、蓋部１２を閉じようとするティッシュペーパ使用者に対して、ラッチ４６の行き止まり感、すなわち蓋部１２が完全に閉じたという感じを与えることができる。最下端部６５に位置する突起部４７は、進入路６３の最下端部６５の手前に形成されていて、突起部４７の上方への動きを阻止する段差部６８ａを通過していることによって、進入路６３を逆行して上昇するということがない。
【００２９】
さらに図５の（ｃ）において、閉じた蓋部１２から手を離すと、ばね部材４０の付勢下にあり、かつ、起立部２２の弾性復元力が作用している蓋部１２は、開く方向へ、すなわち上方に向かって旋回する。すると、突起部４７は、逆行を防止するもう一つの段差部６８ｂを通過し、上方に向かって凸となるように湾曲している係合部６７に向かって上昇し、図５の（ｄ）の状態となる。このときの突起部４７は、係合部６７に下方から圧接することにより係合していて、静止した状態にある。突起部４７が静止しているときに、蓋部１２は、ばね部材４０の付勢に抗して閉じた状態にある。また、蓋部１２の垂下部３０が容器部１１における起立部２２の頂部３２に圧接していることによって、起立部２２は弾性変形しているから、蓋部１２は起立部２２の弾性的な復元力に抗して閉じた状態にある。
【００３０】
図５の（ｅ）においては、突起部４７が退出路６４における最下端部６６に位置している。突起部４７が図５の（ｄ）の状態にあるときに、蓋部１２の外面部２８をラッチ４６の直上に相当する部分７０（図１，４参照）において押圧すると、突起部４７は、逆行を防止する次の段差部６８ｃを通過する方向へ案内されて係合部６７から退出路６４の最下端部６６へと向かう。最下端部６６では、蓋部１２の下降が止まり、ティッシュペーパ使用者にラッチ４６の行き止まり感を与えることができる。
【００３１】
図５の（ｆ）は、突起部４７が退出路６４に案内されて最下端部６６から上昇し、溝部６２の出入口６２ａから外へ出ようとする状態にある。図５の（ｅ）において、蓋部１２から手を離すと、ばね部材４０の付勢下にあるとともに、弾性変形している起立部２２の復元力が作用している蓋部１２は、取出口２１を開くように、上方に向かって自動的に旋回し始める。蓋部１２の旋回に伴って、突起部４７は退出路６４に案内されて出入口６２ａに達する。
【００３２】
このように形成されている収納容器１０では、蓋部開閉構造における蓋部１２の閉じているときに、環状の垂下部３０が、蓋部開閉構造の嵌合凹部１５に形成された環状の起立部２２に圧接して、起立部２２を径方向の内側に向かって弾性変形させている。換言すると、図３では垂下部３０が、起立部２２の頂部３２における内径が小さくなるように、起立部２２を横方向Ｂへ変形させ、図４では起立部２２を前後方向Ｃへ変形させている。垂下部３０は、起立部２２をこのように変形させることに伴って、起立部２２を上下方向Ａの寸法が小さくなるように弾性変形させることもある。また、蓋部１２が開くときの垂下部３０は、ラッチ４６の突起部４７が係合部６７から退出路６４の最下端部６６にまで下降するときの上下方向Ａの寸法に対応する寸法だけ、垂下部３０にすでに当接して弾性変形している起立部２２をさらに弾性変形させる。すなわち、起立部２２と垂下部３０とで作る周壁部７２は、突起部４７が係合部６７にあるときでも、両最下端部６５，６６のそれぞれにあるときでも、弾性変形した状態にある。このように使用される収納容器１０では、起立部２２を柔軟弾性材料によって形成して、上下方向Ａにおける周壁部７２の弾性的変形量が十分に大きくなり得るようにしてあることが好ましい。具体的には、周壁部７２において、起立部２２が持つ弾性的に変形可能な量、すなわち弾性的に変形可能な寸法は、蓋部１２が閉じているときに空間７４を気密状態に保つめに必要な上下方向Ａにおける弾性的変形量と、蓋部１２を開くときに、ラッチ４６の突起部４７が係合部６７から退出路６４の最下端部６６にまで移動するときに必要な上下方向Ａにおける弾性的変形量との和よりも大きくなるように起立部２２を作ることが好ましい。
【００３３】
図６，７は、図４の部分ＶＩを拡大して示す図と図６のＶＩＩ−ＶＩＩ線矢視図である。図６において、蓋部１２は、取出口２１（図２，３参照）を覆う被覆部１２ａと、被覆部１２ａから延びるＬ字型のアーム１２０とを有する。アーム１２０は、被覆部１２ａから下方に向かって延びる垂下部１２１と、垂下部１２１の下端部分から後方に向かって容器部１１における後方周壁部１６ｃの内側にまで延びる連結部１２２とを有する。そのように延びた連結部１２２の先端部分からは、横方向Ｂの両側それぞれに旋回軸１３０が水平に延出している（図７を併せて参照）。旋回軸１３０は、被覆部１２ａの後方部分において横方向Ｂへ延びる後方周縁部３６ｂの下方に位置している。後方周縁部３６ｂと、容器部１１における嵌合凹部１５の内側輪郭線１５ａとの間には、上下方向において寸法Ｆを有する間隙１０１が形成されている。
【００３４】
図７において、アーム１２０の連結部１２２の両側それぞれから横方向Ｂへ延びる旋回軸１３０は、容器部１１に形成されていて連結部１２２に対向している壁面部１２３に形成された軸受部１２４に回転可能に進入している。旋回軸１３０において、アーム１２０につながる部分は基端部であり、軸受部１２４に進入しているのは先端部である。
【００３５】
図７のうちの仮想線３００で囲まれている部分破断拡大図において、寸法Ｗ０はアーム１２０の幅である横方向Ｂの寸法である。寸法Ｗ１は、互いに対向している壁面部１２３どうしの間の前方側の寸法であり、寸法Ｗ２は壁面部１２３どうしの間の後方側の寸法である。寸法Ｗ０，Ｗ１，Ｗ２のそれぞれは、寸法Ｗ０が寸法Ｗ１よりも小さく、寸法Ｗ２よりも大きくなるように調整されている。
【００３６】
図６において取出口２１（図３，４参照）を開くには、閉じている蓋部１２を矢印Ｅ（図４，７参照）で示す時計方向へ旋回させる。蓋部１２は、旋回軸１３０を中心に旋回して、アーム１２０の連結部１２２が容器部１１の内側輪郭線１５ａまたはその周辺の部位に前方から当接することで停止し、取出口２１からティッシュペーパ９（図４参照）を取り出すことができる。蓋部１２を旋回させるときには、旋回軸１３０の上方に位置する被覆部１２ａの後方周縁部３６ｂが、寸法Ｆを有する間隙１０１だけ離隔している容器部１１の内側輪郭線１５ａの上方を通りながら旋回して、後方周壁部１６ｃの後方に来る（図２を併せて参照）。したがって、間隙１０１が０．５−１．５ｍｍという程度の小さな値であっても、被覆部１２ａは、それが旋回するときに容器部１１に接触することがない。蓋部１２が旋回した後の収納容器１０は、それを後方から見ると、容器部１１における後方周壁部１６ｃと蓋部１２における被覆部１２ａとが上下方向において隙間なくつながった状態にあって、容器部１１と蓋部１２とに一体感のある外観を作り出すことができる。容器部１１と蓋部１２との色調が同じであるときには、その一体感が特に強くなるので好ましい。しかし、容器部１１と蓋部１２とが例えば反対色のものであっても、容器部１１と蓋部１２とが作り出すツートンカラーの外観は、上下方向Ａにおいて分断されることがないという好ましいものになる。
【００３７】
蓋部１２は、ばね部材４０によって付勢されているのであるが、容器部１１において軸受部１２４が形成されている壁面部１２３どうしは、それらの間の寸法が、容器部１１の前方から後方に向かって次第に小さくなるように、すなわち寸法Ｗ２が寸法Ｗ１よりも小さくなるように勾配が付けられている。アーム１２０の寸法Ｗ０は、寸法Ｗ２よりも大きいから、蓋部１２が開くときには、アーム１２０と壁面部１２３とが摺動するように係合して、付勢されている蓋部１２が開くときの速度が抑制され、次第に遅くなる。例えば、付勢されている蓋部１２が勢いよく開き始めても、それが開き終わるときには速度が遅くなって、容器部１１を振動させることがないというものになる。
【００３８】
ただし、容器１０において、アーム１２０と壁面部１２３との係合は、図示例の係合に限られるわけではない。例えば、アーム１２０および壁面部１２３のうちの一方に横方向Ｂへの突起部を形成し、もう一方にはその突起部が嵌合可能な凹部を形成しておいて、蓋部１２が開き終わるときには突起部が凹部の周辺を摺動してから凹部に嵌合するようにして、アーム１２０と壁面部１２３との係合を実現させてもよい。
【符号の説明】
【００３９】
９    収納物品（ティッシュペーパ）
１０    収納容器
１１    容器部
１２    蓋部
１２ａ    被覆部
１６ｃ    後方周壁部
２１      取出口
３６ｂ    後方周縁部
１２０    アーム
１２１    垂下部
１２２    連結部
１２３    壁面部
１２４    軸受部
１３０    旋回軸
【図１】
0006550265.tif 000002
【図２】
0006550265.tif 000003
【図３】
0006550265.tif 000004
【図４】
0006550265.tif 000005
【図５】
0006550265.tif 000006
【図６】
0006550265.tif 000007
【図７】
0006550265.tif 000008